(57)【要約】【課題】本発明は脱着式汎用ピンチを提供する。【解決手段】このピンチは、対になっている取っ手部の一方の取っ手の後端部の上面（外側）に正四角柱状の凸部を設け、反対側の取っ手の後端部の正面、底面及び後端面に、その凸部が入る凹部を設ける。一つのピンチの凸部と他のピンチの凹部とは、両部を介して二つのピンチを接着合体させたり離脱させたりできるような形にする。合体ピンチの一方の挟持部で棚板や洗濯物などの固定物を挟み、もう一方の挟持部でメモ紙や洗濯小物を挟むことを可能にするピンチである。二つのピンチは容易に着脱できるよう、その材質は弾力性と摩擦粘着性を帯びた合成樹脂とする。【選択図】  図１
2007020623.tif 000002
【特許請求の範囲】
【請求項１】
本発明は、二つのピンチをその後端の取っ手部（開閉操作部）で接着合体させたり離脱させたりすることを可能にするピンチである。
【請求項２】
本発明のピンチは、上の取っ手の後端部の上面に正四角柱状の突起を設け、もう一方の下の取っ手の後端部に上記の突起が入る穴を開け、二つのピンチが後端部を介して合体できるような形にする。
【請求項３】
請求項２の穴は、ピンチの下の取っ手の後端部の正面、底面及び左側面（後端面）の３面に開ける。
【請求項４】
二つのピンチを正面あるいは底面で合体させるときの合体形は、二つのピンチの後端部が互いに真っ直ぐ逆向きに合体する形を基本形とし、合体されるピンチの穴を中心に合体させるピンチを右へ９０度回転させた合体形と、同じく合体させるピンチを左へ９０度回転させた合体形の３つの合体形とする（３合体形×正面と底面の２面＝６合体形）。
【請求項５】
左側面（後端面）で合体させるときの合体形は、合体させるピンチの先端をを真下に向けて合体する形を基本形とし、合体されるピンチの穴を中心に合体させるピンチを右へ９０度回転させた合体形と、同じく合体させるピンチを左へ９０度回転させた合体形の３つの合体形とする。
【請求項６】
上記９つの合体形を可能にするため、穴の形は、請求項２の正四角柱状の突起が入る大きさの四角柱状の空間とする。
【請求項７】
金属製の半環状スプリングを除くピンチ本体の素材は合成樹脂とし、合体させる突起と合体される穴とは、通常人の手の力で容易に着脱できるが、メモ紙や洗濯小物を挟んだ程度の重みでは離脱しない弾力性と摩擦粘着性を持ったものとする。
【発明の詳細な説明】
【技術分野】
【０００１】
本発明は、ピンチの取っ手部に、他の同型のピンチの取っ手部を接着合体させたり離脱できるようにしたもので、合体したピンチ（以下「合体ピンチ」という。）では、物を挟む部分（以下「挟持部」という。）が２箇所になるピンチに関する。
【背景技術】
【０００２】
従来のほとんどのピンチでは挟持部は１箇所で、二つのピンチを接着合体できるようにはなっていない。
【特許文献１】特開２００１−２２４８９６号公報
【０００３】
挟持部が２箇所のものもあるが、それは、はじめから二つのピンチがその後端部で合体固定した形になっている。
【特許文献２】特開平１０−１７９９８５号公報
【０００４】
中には、脱着式の洗濯バサミもあるが、脱着個所が取っ手部の後端部の底面の１箇所に限られ、本発明のように、底面に加え正面や左側面（後端面）での脱着も可能にした９種類の合体形をもった汎用性のものではない。
【特許文献３】登録実用新案第３０８０５１２号公報
【発明の開示】
【発明が解決しようとする課題】
【０００５】
従来のほとんどのピンチは、挟持部が１箇所で、複数の物を重ねて挟むことはできても、物を挟んだピンチを他の物に吊るしたり固定することはできない。
【０００６】
前記のとおり、一部には、挟持部が2箇所のものや二つのピンチを合体させることによって挟持部が２箇所になるものもあるが、その形は底面１箇所での合体形に限られたものとなっている。
【０００７】
解決しようとする課題は、上記のような不便な点を克服し、物を挟んだピンチを他のピンチに多面的に合体させて、合体ピンチを他の物に自由自在に吊るしたり固定することができるようにする点にある。
【課題を解決するための手段】
【０００８】
本発明は、二つのピンチをその後端の取っ手部で接着合体させたり離脱できるようにすることを可能にする。
【０００９】
ピンチの具体的な形は図１から図６に示すとおりで、対になっている取っ手部の上の取っ手の後端部の上の面に正四角柱状の突起（以下「凸部」という。）を設け、反対側の下の取っ手の後端部にはその凸部が挿入できる穴（以下「凹部」という。）を設ける。
【００１０】
凸部と凹部は、二つのピンチが後端部を介して接着合体させたり離脱できるような形にする。
【００１１】
ピンチの合体の形は９種類の中から選択できるようにするため、凹部は下の取っ手の後端部の正面、底面及び左側面（後端面）の３面に設ける。
【発明の効果】
【００１２】
この合体ピンチでは、その一方の挟持部で小物（例：メモ紙やハンカチ、靴下等）を挟み、他方の挟持部で、他の物（例：板などのちょっとした突起物や既に物干し竿に干された肌着等）を自由に選んで吊るしたり固定できる。
【００１３】
上記のような合体ピンチに吊るした小物の下に、さらに合体ピンチを使って次の小物を連続して吊るしたり固定することを可能にすることによって、メモ紙の掲示場所や洗濯物を干す場所などを複層・立体化して利用することができ、限られた空間を有効に使うことができる。
【００１４】
この脱着式汎用ピンチは、単体では従前の洗濯ピンチと同様、洗濯物の飛散防止の機能
を保持するとともに、必要に応じて合体ピンチにして、上記のような洗濯物の連続干しを
可能にする。
【００１５】
洗濯物干しに使う以外に、身の回りのちょっとした突起部にこの脱着式汎用ピンチを取
り付け、それに一番見やすい形態や角度を選んで他の脱着式汎用ピンチを合体させてメモ
紙などを挟むことを可能にする。
【００１６】
上記のように、本発明のピンチの汎用性は、従来の単独形のピンチには見られない効果
を発揮し、特に車の運転やクッキング、パソコン入力などに際しては、この合体ピンチにタイムリーなメモ紙（ルート図、レシピやデータなど）を適宜な角度に留めて楽に見れ、両手はまったく自由にして運転や料理、キーボード操作などに専念できることを可能にする。
【発明を実施するための最良の形態】
【００１７】
図１（斜視図）、図２（正面図）、図３（平面図）、図４（底面図）、図５（右側面図）、図６（左側面図）に示すような形の脱着式汎用ピンチを作る。
【実施例１】
【００１８】
ピンチ後端部の低面に開いた凹部（図４の符号１０）に他のピンチの凸部（図１の符号８）を差し込んでできた合体ピンチの一端で靴下やハンカチ等を挟み、他の一端で物干し竿に吊るした肌着や他の洗濯小物を挟んだ実施例。（図７）
【実施例２】
【００１９】
ピンチ後端部の低面に開いた凹部（図４の符号１０）に他のピンチの凸部（図１の符号８）を差し込んでできた合体ピンチの一端で靴下を挟み、他の一端で物干し竿に吊るした肌着を挟んだ実施例。（図８）
【実施例３】
【００２０】
棚板などのちょっとした突起物（符号１６）に本発明のピンチを取り付け、そのピンチの後端部の正面に開いた凹部（図２の符号９）に他のピンチの凸部（図１の符号８）を差し込んでできた合体ピンチの挟持部にメモ紙を挟んだ実施例。（図９）
【実施例４】
【００２１】
棚板などのちょっとした突起物（符号１６）に本発明のピンチを取り付け、そのピンチの後端部の左側面（後端面）に開いた凹部（図６の符号１１）に他のピンチの凸部（図１の符号８）を差し込んでできた合体ピンチの挟持部にメモ紙を挟んだ実施例。（図１０）
【実施例５】
【００２２】
立て板などちょっとした突起物（符号１６）に本発明のピンチを取り付け、そのピンチの後端部の左側面（後端面）に開いた凹部（図６の符号１１）に他のピンチの凸部（図１の符号８）を差し込んでできた合体ピンチの挟持部にメモ紙を挟んだ実施例。（図１１）
【実施例６】
【００２３】
ノートパソコンのディスプレーに本発明のピンチを取り付け、そのピンチの後端部の低面に開いた凹部（図４の符号１０）に他のピンチの凸部（図１の符号８）を差し込んでできた合体ピンチの挟持部にメモ紙を挟んだ実施例。（図１２）
【図面の簡単な説明】
【００２４】
【図１】脱着式汎用ピンチの斜視図（斜め右上から見た図）
【図２】脱着式汎用ピンチの正面図（図面の右方向がピンチの先端で左方向が後端。裏面図は凹部がないことを除きこの正面図と左右対称なので省略。）
【図３】脱着式汎用ピンチの平面図（上から見た図。図面の右方向がピンチの先端で左方向が後端。）
【図４】脱着式汎用ピンチの底面図（下から見た図。図面の右方向がピンチの先端で左方向が後端。）
【図５】脱着式汎用ピンチの右側面図（先端方向から見た図。）
【図６】脱着式汎用ピンチの左側面図（後端方向から見た図。）
【図７】合体ピンチの実施例１
【図８】合体ピンチの実施例２
【図９】合体ピンチの実施例３
【図１０】合体ピンチの実施例４
【図１１】合体ピンチの実施例５
【図１２】合体ピンチの実施例６
【符号の説明】
【００２５】
１  脱着式汎用ピンチ
２  上の取っ手部（開閉操作部）
３  下の取っ手部（開閉操作部）
４  上の挟持部
５  下の挟持部
６  回転支柱部
７  金属製の半環状スプリング
８  上面に突起させた凸部
９  正面に開けられた凹部
１０  底面に開けられて凹部
１１  左側面（後端面）に開けられた凹部
１２  物干し竿
１３  肌着
１４  靴下
１５  ハンカチ
１６  板などの突起物
１７  メモ紙
１８  ノートパソコンのディスプレー    
【図１】
2007020623.tif 000003
【図２】
2007020623.tif 000004
【図３】
2007020623.tif 000005
【図４】
2007020623.tif 000006
【図５】
2007020623.tif 000007
【図６】
2007020623.tif 000008
【図７】
2007020623.tif 000009
【図８】
2007020623.tif 000010
【図９】
2007020623.tif 000011
【図１０】
2007020623.tif 000012
【図１１】
2007020623.tif 000013
【図１２】
2007020623.tif 000014